(57)【要約】【課題】冷却ファンやそれの駆動回路などの部品を使用することなく、放熱の容易化を図る。【解決手段】液晶表示器２２のバックライト光源４２から発生された熱が、ユニットフレーム２１のフレーム基盤２７から容器取付部３５を経由して容器３と制御回路基板２４およびバックライト回路基板２５との間の空間Ｄに放出され、空間Ｄに放出された熱が、蓋基盤６の通気孔１２から上側壁９の通気孔１２に抜ける空気の流れに乗って空間Ｄから容器３の外部に放熱されるので、冷却ファンやそれの駆動回路などの部品を使用することなく、容器３およびユニットフレーム２１から構成された筐体の内部で発生した熱を筐体の外部に適切に放熱できる。【選択図】図１
2007190308.tif 000002
【特許請求の範囲】
【請求項１】
画像表示構造体が金属からなるユニットフレームとバックライト光源を含む液晶表示器と金属からなる隔壁体と液晶表示器に対する画像表示の制御処理を実行する制御回路基板と制御回路基板から供給される電力でバックライト光源を点灯させるバックライト回路基板とを備え、液晶表示器がユニットフレームおよび隔壁体で前後方向から挟まれ、制御回路基板およびバックライト回路基板が隔壁体に取り付けられており、画像表示構造体が通気孔を備えた合成樹脂からなる容器の前側の開口から容器の内部に格納され、前方から角箱筒状の容器の前側から容器の内部に挿入され、止ねじが容器の裏側からユニットフレームに締結されることによって、液晶表示器が容器の内部前側に配置され、制御回路基板およびバックライト回路基板が容器の内部後側に配置されたことを特徴とする遊技画像表示装置。
【発明の詳細な説明】
【技術分野】
【０００１】
本発明は、冷却ファンやそれの駆動回路などの部品を使用することなく、放熱が容易な遊技画像表示装置に関する。
【背景技術】
【０００２】
遊技画像表示装置には、次のような構造のものが知られている。それは、合成樹脂からなる２つの容器がヒンジで連結され、一方の容器には液晶表示器および駆動回路基板が装着され、他方の容器には制御回路基板が装着され、液晶表示器および駆動回路基板と制御回路基板とが互いに被覆電線で接続され、２つの容器が閉じられて液晶表示器と駆動回路基板と制御回路基板および被覆電線を収容した１つの筐体を構成している。そして、液晶表示器のバックライト、駆動回路基板の電気部品、制御回路基板の電気部品などから発生される熱を筐体の内部から外部に放出するために、多数の放熱孔が容器に設けられている。しかしながら、液晶表示器が大形化してきていることから、バックライトからの発熱量が多くなっている。そのため、冷却ファンを設けて放熱することも考えられるが、冷却ファンやそれの駆動回路などの部品が多くなり、にわかに採用しがたいという欠点がある。
【特許文献１】特許第３４６２２３３号公報
【発明の開示】
【発明が解決しようとする課題】
【０００３】
発明が解決しようとする問題点は、冷却ファンやそれの駆動回路などの部品を使用することなく、筐体の内部で発生した熱を筐体の外部に適切に放熱できないという点である。
【課題を解決するための手段】
【０００４】
本発明に係る遊技画像表示装置は、画像表示構造体が金属からなるユニットフレームとバックライト光源を含む液晶表示器と金属からなる隔壁体と液晶表示器に対する画像表示の制御処理を実行する制御回路基板と制御回路基板から供給される電力でバックライト光源を点灯させるバックライト回路基板とを備え、液晶表示器がユニットフレームおよび隔壁体で前後方向から挟まれ、制御回路基板およびバックライト回路基板が隔壁体に取り付けられており、画像表示構造体が通気孔を備えた合成樹脂からなる容器の前側の開口から容器の内部に格納され、前方から角箱筒状の容器の前側から容器の内部に挿入され、止ねじが容器の裏側からユニットフレームに締結されることによって、液晶表示器が容器の内部前側に配置され、制御回路基板およびバックライト回路基板が容器の内部後側に配置されたことを最も主要な特徴とする。
【発明の効果】
【０００５】
本発明に係る遊技画像表示装置は、液晶表示器が金属からなるユニットフレームおよび金属からなる隔壁体で前後方向から挟まれ、バックライト光源から発生された熱がユニットフレームおよび隔壁体から容器に設けられた通気孔を経由して容器の外部に放熱されるので、冷却ファンやそれの駆動回路などの部品を使用することなく、容器およびユニットフレームから構成された筐体の内部で発生した熱を筐体の外部に適切に放熱できるという利点がある。
【発明を実施するための最良の形態】
【０００６】
図１乃至図４は、発明を実施するための最良の形態である。図１は、遊技画像表示装置１の縦方向に切断した断面を示す。図２は、遊技画像表示装置１を分解して示す。図３は、画像表示構造体２を分解して示す。図４は、遊技画像表示装置１の取り付けられた遊技盤８６を裏側から示す。本明細書において、「前」、「表」、「後」、「裏」、「左」、「右」、「上」、「下」の方向は、図４の状態に遊技画像表示装置１および遊技盤８６を置いて矢印Ａで示す前側から見た場合に特定される方向である。「前」および「表」は、同じ方向である。「後」および「裏」は、同じ方向である。
【０００７】
図２を参照し、遊技画像表示装置１の構造について説明する。遊技画像表示装置１は、画像表示構造体２が合成樹脂からなる容器３の前側の開口から容器３の内部に格納され、タッピングスクリューのような止ねじ４が容器３の裏側から容器３の表示取付部としてのねじ挿入孔１１を経由して画像表示構造体２の容器取付部３５におけるねじ結合孔３７に締結されることによって、遊技画像表示装置１が構成される。容器３は、無色な合成樹脂のような光を透過する性質の有る材料により、蓋基盤６、左側壁７、右側壁８、上側壁９、下側壁１０、ねじ挿入孔１１、通気孔１２、コネクタ収容部１３、突起１４、固着取付部１５を一体に備えた形状に構成される。蓋基盤６は、ユニットフレーム２１の前面よりも大きな方形である。左側壁７、右側壁８、上側壁９、下側壁１０は、蓋基盤６の４つの周縁から前側に直角に突出する。これによって、蓋基盤６の前側には、ユニットフレーム２１を収容するための収容部が、前側に開口し、蓋基盤６、左側壁７、右側壁８、上側壁９、下側壁１０で囲まれた形状として形成される。ねじ挿入孔１１は、蓋基盤６の四隅に前後方向への貫通孔として設けられる。通気孔１２は、蓋基盤６および上側壁９に孔径の小さな貫通孔として多数設けられる。図２には、一部の個数だけの通気孔１２を図示してある。コネクタ収容部１３は、蓋基盤６の左側部に前後方向への貫通孔として設けられる。突起１４および固着取付部１５は、遊技画像表示装置１を図４の遊技盤８６の裏面に取り付けるための部分である。突起１４は、左右に分かれ、上側壁９から上側に突出する。固着取付部１５は、左右に分かれ、下側壁１０から下側に突出する。固着取付部１５には、固着具１６が設けられる。
【０００８】
図３を参照し、画像表示構造体２の構造について説明する。画像表示構造体２は、ユニットフレーム２１、液晶表示器２２、隔壁体２３、制御回路基板２４、バックライト回路基板２５を備える。そして、液晶表示器２２、隔壁体２３、制御回路基板２４、バックライト回路基板２５がユニットフレーム２１に装着される構造であるので、画像表示構造体２の運搬や保管が容易であるという利点がある。ユニットフレーム２１は、鉄板のような金属板により、フレーム基盤２７、左側壁２８、右側壁２９、上側壁３０、下側壁３１、画像視認開口部３２、部品取付部３３、表示位置決め部３４、容器取付部３５を備えた、単一体として構成される。フレーム基盤２７は、液晶表示器２２の前面よりも大きな方形である。左側壁２８、右側壁２９、上側壁３０、下側壁３１は、フレーム基盤２７の４つの周縁から裏側に直角に折り曲げられる。これによって、フレーム基盤２７の裏側には、液晶表示器２２を収容するための収容部が、裏側に開口し、フレーム基盤２７、左側壁２８、右側壁２９、上側壁３０、下側壁３１で囲まれた形状として形成される。画像視認開口部３２は、液晶表示器２２の前面よりも小さな方形であって、フレーム基盤２７に、前後方向への貫通孔として設けられる。
【０００９】
部品取付部３３は、フレーム基盤２７の画像視認開口部３２よりも右側に位置する右端部および左側壁２８に２個ずつ設けられる。フレーム基盤２７の右端部における部品取付部３３は、フレーム基盤２７から裏側に直角に折り曲げられた突片の後部が左側に直角に折り曲げられた形態である。左側壁２８における部品取付部３３は、左側壁２８の前縁部から右側に直角に折り曲げられた形態である。よって、部品取付部３３は、フレーム基盤２７よりも裏側に離れてフレーム基盤２７と平行である。部品取付部３３には、ねじ結合孔３６が、前後方向への貫通孔として形成される。表示位置決め部３４は、右側における部品取付部３３の間に位置し、フレーム基盤２７から裏側に直角に折り曲げられた形態である。容器取付部３５は、左側壁２８および右側壁２９に２個ずつ設けられる。左側の容器取付部３５は、左側壁２８から裏側に突出した突片の後部が右側に直角に折り曲げられた形態である。右側の容器取付部３５は、右側壁２９から裏側に突出した突片の後部が左側に直角に折り曲げられた形態である。よって、容器取付部３５は、フレーム基盤２７と平行である。容器取付部３５には、ねじ結合孔３７が、前後方向への貫通孔として設けられる。
【００１０】
液晶表示器２２には、電気的に表示形態の変えられる画像を前面側の方形な表示画面４１を全体的に照明するための、バックライト光源４２や導光部材および光拡散部材などからなるバックライト構成部材が含まれる。液晶表示器２２には、フレーム取付部４３が、液晶表示器２２の左右端部に２箇所ずつ設けられる。フレーム取付部４３は、前側凹部４４と裏側凹部４５との間に存在する隔壁４６に前後方向への貫通孔として形成されたねじ挿入孔４７を備える。前側凹部４４は、液晶表示器２２の前面および端面に開口し、液晶表示器２２の前面から内部への窪みとして形成される。裏側凹部４５は、液晶表示器２２の裏面および端面に開口し、液晶表示器２２の裏面から内部への窪みとして形成される。液晶表示器２２の左右方向の一端部には、バックライト光源４２に通電するための被覆電線からなるバックライト引出線４８が、液晶表示器２２から外部に延長されて設けられる。バックライト引出線４８の端部にはコネクタ４９が設けられる。液晶表示器２２の裏面には、制御用のコネクタ５０が設けられる。
【００１１】
隔壁体２３は、鉄板のような金属板により、隔壁基盤５２、左側壁５３、上側壁５４、下側壁５５、フレーム取付部５６、制御基板取付部５７、ライト基板取付部５８、コネクタ挿入孔５９を一体に備えた構造に構成される。隔壁基盤５２は、液晶表示器２２の裏面と同じ大きさの方形である。左側壁５３、上側壁５４、下側壁５５は、隔壁基盤５２における左縁部、上縁部、下縁部なる３つの周縁から裏側に直角に折り曲げられる。フレーム取付部５６は、隔壁基盤５２の左右端部に２個ずつ設けられる。フレーム取付部５６は、隔壁基盤５２から前側に直角に折り曲げられた突片の前部が右側または左側に直角に折り曲げられた形態である。よって、フレーム取付部５６は、隔壁基盤５２から前側に離れて隔壁基盤５２と平行である。フレーム取付部５６には、ねじ挿入孔６０が、前後方向への貫通孔として形成される。
【００１２】
制御基板取付部５７は、隔壁基盤５２に複数設けられる。制御基板取付部５７は、隔壁基盤５２から裏側に直角に折り曲げられた突片の後部が右側または左側または上側または下側に直角に折り曲げられた形態である。よって、制御基板取付部５７は、隔壁基盤５２から裏側に離れて隔壁基盤５２と平行である。制御基板取付部５７には、ねじ結合孔６１が、前後方向への貫通孔として形成される。ライト基板取付部５８は、隔壁基盤５２の右端部に２個設けられる。ライト基板取付部５８は、隔壁基盤５２から裏側に直角に折り曲げられた突片の後部が上側または下側に直角に折り曲げられた形態である。よって、ライト基板取付部５８は、隔壁基盤５２から裏側に離れて隔壁基盤５２と平行である。ライト基板取付部５８には、ねじ結合孔６２が、前後方向への貫通孔として形成される。
【００１３】
制御回路基板２４は、遊技機に搭載された電源装置から供給される電力で起動して液晶表示器２２に対する画像表示の制御処理を実行する部品であって、ＣＰＵ６４、画像データロム６５、コネクタ６６；６７；６８；６９、図外のインターフェース回路部品などの電気部品がプリント基板のような回路基板の表面に実装された構造である。ＣＰＵ６４、画像データロム６５、コネクタ６６乃至６９、図外のインターフェース回路部品などの電気部品の電気端子が回路基板の裏側から前側に突出し、電気端子が回路基板に敷設されたプリント電線と呼ばれる箔状電線で相互に配線される。制御回路基板２４には、隔壁取付部７０が、回路基板に、前後方向に貫通したねじ挿入孔として形成される。隔壁取付部７０は、制御回路基板２４を隔壁体２３に固定するための部分である。コネクタ６６には、被覆電線からなる表示制御電線７１の一端に設けられたコネクタ７２が機械的に嵌め込まれて通電可能に接続される。表示制御電線７１の他端には、コネクタ７３が設けられる。コネクタ６７には、被覆電線からなるバックライト電線７４の一端に設けられたコネクタ７５が機械的に嵌め込まれて通電可能に接続される。バックライト電線７４の他端には、コネクタ７６が設けられる。図２の容器３が画像表示構造体２に装着される場合、コネクタ６８；６９は、容器３の前側からコネクタ収容部１３に取り込まれる（図４参照）。
【００１４】
バックライト回路基板２５は、制御回路基板２４から供給される電力でバックライト光源４２を点灯させる部品であって、電圧変換部品７８、コネクタ７９；８０、図外の回路素子などの電気部品がプリント基板のような回路基板の表面に実装された構造である。電圧変換部品７８やコネクタ７９；８０などの電気部品の電気端子が回路基板の裏側から前側に突出し、電気端子が回路基板に敷設されたプリント電線と呼ばれる箔状電線で相互に配線される。バックライト回路基板２５には、隔壁取付部８１が、回路基板に、前後方向に貫通したねじ挿入孔として形成される。隔壁取付部８１は、バックライト回路基板２５を隔壁体２３に固定するための部分である。
【００１５】
液晶表示器２２、隔壁体２３、制御回路基板２４、バックライト回路基板２５は、ユニットフレーム２１に、次のように組み立てられる。先ず、液晶表示器２２および隔壁体２３がユニットフレーム２１に取り付けられる。その場合、表示画面４１がフレーム基盤２７の裏面の側に向けられ、２本のバックライト引出線４８が右側に配置され、液晶表示器２２がユニットフレーム２１の裏側からユニットフレーム２１の収容部に取り込まれ、液晶表示器２２の右面が表示位置決め部３４の左面に接触され、表示画面４１の中央部が画像視認開口部３２と対向し、表示画面４１の周縁部がフレーム基盤２７の裏面に重ね合わされ、前側凹部４４が部品取付部３３に嵌め込まれ、バックライト引出線４８がユニットフレーム２１の外側に引き出される。その後、隔壁基盤５２の前面が液晶表示器２２の裏面の側に向けられ、隔壁体２３が液晶表示器２２の裏側からユニットフレーム２１の収容部に取り込まれ、コネクタ挿入孔５９にはコネクタ５０が挿入され、フレーム取付部５６が裏側凹部４５に嵌め込まれる。そして、タッピングスクリューのような止ねじ８２が、隔壁体２３の裏側から、ねじ挿入孔６０およびねじ挿入孔４７を順に経由し、ねじ結合孔３６に締結されることによって、液晶表示器２２および隔壁体２３がユニットフレーム２１の内部にユニットフレーム２１の裏側から取り付けられる。
【００１６】
次に、制御回路基板２４およびバックライト回路基板２５が隔壁体２３に取り付けられる。その場合、制御回路基板２４が隔壁体２３に取り付けられた後、バックライト回路基板２５が隔壁体２３に取り付けられるか、または、バックライト回路基板２５が隔壁体２３に取り付けられた後、制御回路基板２４が隔壁体２３に取り付けられるというように、制御回路基板２４およびバックライト回路基板２５のいずれが先に取り付けられてもよい。制御回路基板２４は、次のように取り付けられる。制御回路基板２４の前面が隔壁基盤５２の裏面の側に向けられ、制御回路基板２４が隔壁体２３の裏側からユニットフレーム２１の収容部に挿入され、制御回路基板２４の上縁部がコネクタ挿入孔５９よりも下側に配置され、制御回路基板２４の前面が制御基板取付部５７の裏面に重ね合わされ、タッピングスクリューのような止ねじ８３が制御回路基板２４の裏側から隔壁取付部７０を経由してねじ結合孔６１に締結されることによって、制御回路基板２４が隔壁体２３に取り付けられる。つまり、制御回路基板２４は、ユニットフレーム２１の裏側から隔壁体２３を介してユニットフレーム２１の内部裏側に取り付けられる。そして、表示制御電線７１のコネクタ７３がコネクタ５０に機械的に嵌め込まれて通電可能に接続されるので、表示制御電線７１がユニットフレーム２１と制御回路基板２４との間に挟まれることがなく、ユニットフレーム２１と制御回路基板２４との間に表示制御電線７１を通すための隙間を設ける必要がなく、ユニットフレーム２１の前後方向の外形寸法を小さくすることができるという利点がある。
【００１７】
バックライト回路基板２５は、次のように取り付けられる。バックライト回路基板２５の前面が隔壁基盤５２の裏面の側に向けられ、バックライト回路基板２５が隔壁体２３の裏側からユニットフレーム２１の収容部に挿入され、バックライト回路基板２５の前面がライト基板取付部５８の裏面に重ね合わされ、タッピングスクリューのような止ねじ８４がバックライト回路基板２５の裏側から隔壁取付部８１を経由してねじ結合孔６２に締結されることによって、バックライト回路基板２５が液晶表示器２２よりも右側に位置して隔壁体２３に取り付けられる。バックライト引出線４８のコネクタ４９がコネクタ８０に機械的に嵌め込まれて通電可能に接続され、バックライト電線７４のコネクタ７５がコネクタ６７に機械的に嵌め込まれて通電可能に接続されるので、バックライト引出線４８やバックライト電線７４がユニットフレーム２１とバックライト回路基板２５との間に挟まれることがなく、ユニットフレーム２１とバックライト回路基板２５との間にバックライト引出線４８やバックライト電線７４を通すための隙間を設ける必要がなく、ユニットフレーム２１の前後方向の外形寸法を小さくすることができるという利点がある。
【００１８】
図４を参照し、遊技画像表示装置１が遊技盤８６に取り付けられるための取付構造について説明する。遊技盤８６の裏面には、取付台８７が止ねじのような取付具で遊技盤８６の裏側から取り付けられる。遊技盤８６は、遊技盤８６の前面における図外のガイドレールで囲まれた内側の遊技領域に入賞部品を備え、遊技領域から入賞部品に取り込まれたパチンコ球と呼ばれる球を遊技盤８６の裏側に排出する構造である。取付台８７は、セット板とも呼ばれ、入賞部品から遊技盤８６の裏側に排出された球を下方に誘導して排出する機能を備える。遊技盤８６および取付台８７には、図柄視認窓８８が、前後方向への貫通孔として形成される。図柄視認窓８８の周りの取付台８７の裏面には、部品支持部８９および部品固定部９０が設けられる。
【００１９】
遊技画像表示装置１は、取付台８７に次のように取り付けられる。図３の表示画面４１が遊技盤８６の裏面の側に向けられるように遊技画像表示装置１の前面が遊技盤８６の裏面の側に向けられ、突起１４が遊技盤８６の裏側から部品支持部８９に下側から嵌め込まれ、突起１４と部品支持部８９との嵌め込まれた部分を中心とし、遊技画像表示装置１が前側に移動されると、固着具１６が筒状の部品固定部９０の内部に挿入され、固着取付部１５が部品固定部９０の裏面に接触する。そして、固着具１６が人によって前側に押し込まれると、固着具１６の先端部に装着された図外の爪部材が径方向外側に広がって部品固定部９０の内部に係合し、遊技画像表示装置１が取付台８７の裏面に固定的に取り付けられる。その後、被覆電線からなる図外の遊技制御電線の一端に設けられたコネクタが遊技画像表示装置１のコネクタ６８；６９に機械的に嵌め込まれて通電可能に接続され、遊技制御電線の他端に設けられたコネクタが主制御装置と呼ばれる図外の遊技制御装置のコネクタに機械的に嵌め込まれて通電可能に接続される。遊技制御装置は、取付台８７または遊技盤８６の裏面または遊技盤８６の装着される遊技機枠に取り付けられる。
【００２０】
図１に示すように、最良の形態によれば、液晶表示器２２が金属製のユニットフレーム２１および金属製の隔壁体２３で前後方向から挟まれているので、バックライト光源４２から発生された熱がユニットフレーム２１および隔壁体２３から通気孔１２を経由して容器３の外部に放熱される。とりわけ、バックライト光源４２前側には、ユニットフレーム２１のフレーム基盤２７が接触するかまたは接触する程度に近づいて配置されているので、バックライト光源４２から発生された熱がフレーム基盤２７から容器取付部３５を経由して容器３と制御回路基板２４およびバックライト回路基板２５との間の空間Ｄに放出される。そして、空間Ｄに放出された熱は、蓋基盤６の通気孔１２から上側壁９の通気孔１２に抜ける空気の流れに乗って空間Ｄから容器３の外部に放熱されるという利点がある。よって、冷却ファンやそれの駆動回路などの部品を使用することなく、容器３およびユニットフレーム２１から構成された筐体の内部で発生した熱を筐体の外部に適切に放熱できるという利点がある。
【産業上の利用可能性】
【００２１】
液晶表示器２２の表示画面を球の衝突から保護するための無色な合成樹脂や無色なガラスなど光を透過する性質の有る材料からなる保護パネルは、液晶表示器２２とフレーム基盤２７との間に挟み込むように設けてもよく、図柄視認窓８８に対応して取付台８７の裏面または前面に設けてもよく、図柄視認窓８８に対応して遊技盤８６の遊技領域に設置される飾り部品の裏面または前面に設けてもよい。
【図面の簡単な説明】
【００２２】
【図１】遊技画像表示装置の縦断面図（最良の形態）。
【図２】遊技画像表示装置の分解斜視図（最良の形態）。
【図３】画像表示構造体の分解斜視図（最良の形態）。
【図４】遊技画像表示装置の取り付けられた遊技盤の背面図（最良の形態）。
【符号の説明】
【００２３】
１    遊技画像表示装置
２    画像表示構造体
３    容器
４    止ねじ
１２  通気孔
２１  ユニットフレーム
２２  液晶表示器
２３  隔壁体
２４  制御回路基板
２５  バックライト回路基板
【図１】
2007190308.tif 000003
【図２】
2007190308.tif 000004
【図３】
2007190308.tif 000005
【図４】
2007190308.tif 000006